(57)【要約】【課題】摩耗による交換時期を容易に知ることができる刈払機のブレード及びブレードカッターを提供する。【解決手段】草を刈払う刈払機に用いられ、動力源の駆動力により高速回転する回転板に取付けられるブレード１５である。ブレード１５は、回転板に着脱可能に取付けられる保持部１６と、草を刈る刃先１７ａを有する刃部１７とからなる。ブレード１５には、保持部１６と刃部１７とを区別可能な印が設けられている。【選択図】図３
2014082974.tif 000002
【特許請求の範囲】
【請求項１】
草を刈払う刈払機に用いられ、動力源の駆動力により高速回転する回転板に取付けられるブレードにおいて、
該ブレードは、該回転板に着脱可能に取付けられる保持部と、草を刈る刃先を有する刃部と、からなり、
該ブレードには、該保持部と該刃部とを区別可能な印が設けられていることを特徴とする刈払機のブレード。
【請求項２】
前記印は、前記保持部と前記刃部との色分けであることを特徴とする請求項１記載の刈払機のブレード。
【請求項３】
前記印は、前記保持部と前記刃部との間に設けられたケガキ線、又は塗装線であることを特徴とする請求項１記載の刈払機のブレード。
【請求項４】
前記印は、前記保持部と前記刃部との間に設けられた切り欠きであることを特徴とする請求項１記載の刈払機のブレード。
【請求項５】
請求項１乃至４のいずれか１項記載の刈払機のブレードが、回転板の周縁部に着脱可能に取付けられていることを特徴とする刈払機のブレードカッター。
【発明の詳細な説明】
【技術分野】
【０００１】
本発明は、草を刈払う刈払機に用いられ、動力源の駆動力により高速回転する回転板に取付けられるブレード、及びそのブレードを用いたブレードカッターに関する。
【背景技術】
【０００２】
従来、草を刈払う刈払機に用いられ、動力源の駆動力により高速回転する回転板に取付けられるブレードとして、特許文献１に記載されたものが知られている。このブレードは、回転板（保持部材）に着脱可能に取付けられる保持部と、草を刈る刃先を有する刃部とからなり、回転板（保持部材）が動力源の駆動力により高速回転すると、回転板（保持部材）から放射状に突出して回転し草を刈払うことができる。
【先行技術文献】
【特許文献】
【０００３】
【特許文献１】特開平７−３２７４５５号公報
【発明の概要】
【発明が解決しようとする課題】
【０００４】
刈払機を用いて草刈作業を行うと、草や雑木から負荷を受けるためブレードが摩耗して交換の必要が生じる。しかし、上記従来の刈払機のブレードでは、保持部と刃部とを容易に区別することができず、ブレードの交換時期を簡単に知ることができない。そのため、交換時期を過ぎたブレードを使用してしまう虞がある。このような事態が生じると、効率の悪い作業になってしまうのみならず、ブレードカッターの破損の原因にもなり得る。
【０００５】
本発明はかかる従来の問題点に鑑みてなされたものであり、摩耗による交換時期を容易に知ることができる刈払機のブレード及びブレードカッターを提供するものである。
【課題を解決するための手段】
【０００６】
上記の課題を解決するために、請求項１に係る刈払機のブレードの特徴は、草を刈払う刈払機に用いられ、動力源の駆動力により高速回転する回転板に取付けられるブレードにおいて、該ブレードは、該回転板に着脱可能に取付けられる保持部と、草を刈る刃先を有する刃部と、からなり、該ブレードには、該保持部と該刃部とを区別可能な印が設けられていることである。
【０００７】
請求項２に係る刈払機のブレードの特徴は、前記印は、前記保持部と前記刃部との色分けであることである。
【０００８】
請求項３に係る刈払機のブレードの特徴は、前記印は、前記保持部と前記刃部との間に設けられたケガキ線、又は塗装線であることである。
【０００９】
請求項４に係る刈払機のブレードの特徴は、前記印は、前記保持部と前記刃部との間に設けられた切り欠きであることである。
【００１０】
請求項５に係る刈払機のブレードカッターの特徴は、請求項１乃至４のいずれか１項記載の刈払機のブレードが、回転板の周縁部に着脱可能に取付けられていることである。
【発明の効果】
【００１１】
請求項１に係る刈払機のブレードにおいては、ブレードが回転板に着脱可能に取付けられる保持部と、草を刈る刃先を有する刃部とからなり、ブレードには保持部と刃部とを区別することができる印が設けられているため、この印によりブレードが摩耗したか否かを容易に知ることができる。したがって、この刈払機のブレードによれば、摩耗による交換時期を容易に知ることができる。
【００１２】
請求項２に係る刈払機のブレードにおいては、印が保持部と刃部との色分けであるため、ブレードが回転中であっても保持部と刃部とを容易に区別することができる。したがって、この刈払機のブレードによれば、摩耗によるブレードの交換時期を容易に知ることができる。なお、色分けの方法として、刃部にのみ塗料を塗布する方法、保持部のみ塗料を塗布する方法、刃部と保持部とに異なる塗料を塗布する方法が考えられる。
【００１３】
請求項３に係る刈払機のブレードにおいては、印が保持部と刃部との間に設けられたケガキ線、又は塗装線であるため、摩耗によるブレードの交換時期を容易に知ることができるのみならず製造コストを低減することができる。
【００１４】
請求項４に係る刈払機のブレードにおいては、印が保持部と刃部との間に設けられた切り欠きであるため、摩耗によるブレードの交換時期を容易に知ることができる。また、ブレードの成形と同時に切り欠きを形成することができ、製造が容易であるとともに製造コストを低減することができる。
【００１５】
請求項５に係る刈払機のブレードカッターにおいては、上記のブレードが回転板の周縁部に着脱可能に取付けられているため、摩耗による交換時期を容易に知ることができる。
【図面の簡単な説明】
【００１６】
【図１】実施形態１のブレード及びブレードカッターを用いた刈払機の斜視図。
【図２】実施形態１のブレードの平面図。
【図３】実施形態１のブレードカッターの平面図。
【図４】実施形態２のブレードの平面図。
【図５】実施形態２のブレードカッターの平面図。
【図６】実施形態３のブレードの平面図。
【図７】実施形態３のブレードカッターの平面図。
【発明を実施するための形態】
【００１７】
本発明に係る刈払機のブレード及びブレードカッターを具体化した実施形態１〜３を図面に基づいて以下に説明する。まず、実施形態１の刈払機のブレード、及びブレードカッターについて説明する。図１は、この刈払機のブレード、及びブレードカッターを用いた刈払機の斜視図である。この刈払機の操作棹９０の先端部にはギアヘッド９１とカバー９２とが取付けられている。そして、ギアヘッド９１にはブレードカッター１０が回転可能に取付けられている。また、ブレードカッター１０には３枚のブレード１５が取付けられている。
【００１８】
図２に示すように、ブレードカッター１０は、回転板１１とブレード１５とを有している。回転板１１は円盤状をなし、その中心にギアヘッド９１から突出するモータ軸（図示なし）を貫通させて固着させる軸孔１１ａを有している。また、回転板１１の周縁部には、３枚のブレード１５が等間隔で着脱可能に取付けられている。これらのブレード１５は、取付ピン１２により回動可能に取付けられている。これにより、回転板１１がギアヘッド９１内のモータ（図示なし）の駆動力により高速回転すると、３枚のブレード１５が回転板１１から放射状に突出して回転し草を刈払うことができる。
【００１９】
図３に示すように、ブレード１５は先端部に向かって次第に幅広となる略長方形の板状をなし、保持部１６と刃部１７とからなっている。保持部１６の基端部には、取付ピン１２によりブレード１５が回転板１１に着脱可能に取付けられる取付孔１６ａが設けられている。この取付孔１６ａの内径は取付ピン１２の外径よりも大きくなっており、これによりブレード１５は回動可能にされている。また、刃部１７の両側側縁部には刃先１７ａが形成され、ブレード１５が回転すると、この刃先１７ａにより草を刈払うことができる。また、刃部１７には塗料が塗布され、保持部１６には塗料は塗布されていない。
【００２０】
実施形態１の刈払機のブレード及びブレードカッターにおいては、刃部１７には塗料が塗布され、保持部１６には塗料は塗布されていない。そのため、保持部１６はブレード１５の材料色となり、結果として保持部１６と刃部１７とが色分けされる。これにより、ブレード１５が回転中であるか否かにかかわらず、保持部１６と刃部１７とを容易に区別することができる。したがって、実施形態１の刈払機のブレード及びブレードカッターによれば、摩耗によるブレード１５の交換時期を容易に知ることができる。なお、ブレード１５の色分けの方法として、刃部１７にのみ塗料を塗布する方法、保持部１６のみ塗料を塗布する方法、刃部１７と保持部１６とに異なる塗料を塗布する方法が考えられる。
【００２１】
次に、実施形態２の刈払機のブレード、及びブレードカッターについて説明する。実施形態２の刈払機のブレード、及びブレードカッターについても、実施形態１と同様、図１に示す刈払機に用いられるため、同様の構成については同じ符号を用いるものとする。ただし、ブレードカッター及びブレードは図４及び図５に示すものが用いられる。
【００２２】
図４に示すように、ブレードカッター２０は、回転板２１とブレード２５とを有している。回転板２１は正方形の板状をなし、その中心にギアヘッド９１から突出するモータ軸（図示なし）を貫通させて固着させる軸孔２１ａを有している。また、回転板２１の角部には、４枚のブレード２５が着脱可能に取付けられている。これらのブレード２５は、取付ピン２２により回動可能に取付けられている。これにより、回転板２１がギアヘッド９１内のモータ（図示なし）の駆動力により高速回転すると、４枚のブレード２５が回転板２１から放射状に突出して回転し草を刈払うことができる。
【００２３】
図５に示すように、ブレード２５は基端部の底角が直角をなす台形の板状をなし、保持部２６と刃部２７とからなっている。保持部２６の基端部には、取付ピン２２によりブレード２５が回転板２１に着脱可能に取付けられる取付孔２６ａが設けられている。この取付孔２６ａの内径は取付ピン２２の外径よりも大きくなっており、これによりブレード２５は回動可能にされている。また、刃部２７の回転方向側縁部には刃先２７ａが形成され、ブレード２５が回転すると、この刃先２７ａにより草を刈払うことができる。また、保持部２６と刃部２７との間には塗料が塗布され、これにより塗装線２８が形成されている。
【００２４】
実施形態２の刈払機のブレード及びブレードカッターにおいては、保持部２６と刃部２７との間に塗装線２８が設けられている。そのため、保持部２６と刃部２７とを容易に区別することができる。したがって、実施形態２の刈払機のブレード及びブレードカッターによっても、摩耗によるブレード２５の交換時期を容易に知ることができる。なお、塗装線２８の替わりにケガキ線とすることもできる。また、塗装線やケガキ線を設けることは比較的容易であるとともに、製造コストを低減することができる。
【００２５】
次に、実施形態３の刈払機のブレード、及びブレードカッターについて説明する。実施形態３の刈払機のブレード、及びブレードカッターについても、実施形態１と同様、図１に示す刈払機に用いられるため、同様の構成については同じ符号を用いるものとする。ただし、ブレードカッター及びブレードは図６及び図７に示すものが用いられる。
【００２６】
図６に示すように、ブレードカッター３０は、回転板３１とブレード３５とを有している。回転板３１は楕円形の板状をなし、その中心にギアヘッド９１から突出するモータ軸（図示なし）を貫通させて固着させる軸孔３１ａを有している。また、回転板３１の長軸方向周縁部には、２枚のブレード３５が着脱可能に取付けられている。これらのブレード３５は、取付ピン３２により回動可能に取付けられている。これにより、回転板３１がギアヘッド９１内のモータ（図示なし）の駆動力により高速回転すると、２枚のブレード３５が回転板３１から放射状に突出して回転し草を刈払うことができる。
【００２７】
図７に示すように、ブレード３５は湾曲した楕円形の板状をなし、保持部３６と刃部３７とからなっている。保持部３６の基端部には、取付ピン３２によりブレード３５が回転板３１に着脱可能に取付けられる取付孔３６ａが設けられている。この取付孔３６ａの内径は取付ピン３２の外径よりも大きくなっており、これによりブレード３５は回動可能にされている。また、刃部３７の回転方向側縁部には刃先３７ａが鋸歯状に形成され、ブレード３５が回転すると、この刃先３７ａにより草を刈払うことができる。また、保持部３６と刃部３７との間の回転方向と反対方向側縁部には切り欠き３８が形成されている。
【００２８】
実施形態３の刈払機のブレード及びブレードカッターにおいては、保持部３６と刃部３７との間に切り欠き３８が設けられている。そのため、保持部３６と刃部３７とを容易に区別することができる。したがって、実施形態３の刈払機のブレード及びブレードカッターによっても、摩耗によるブレード３５の交換時期を容易に知ることができる。また、ブレード３５の成形と同時に切り欠き３８を形成することができ、製造が容易であるとともに製造コストを低減することができる。
【００２９】
以上、本発明の刈払機のブレード及びブレードカッターを実施形態１〜３に即して説明したが、本発明はこれらに制限されるものではなく、本発明の技術的思想に反しない限り、適宜変更して適用できることはいうまでもない。例えば、実施形態１〜３において、ブレード１５，２５，３５は回転板１１，２１，３１に枢支されているが、ブレードが回転板に固着されているブレードカッターであってもよい。
【符号の説明】
【００３０】
１０，２０，３０…ブレードカッター、１１，２１，３１…回転板、１１ａ，２１ａ，３１ａ…軸孔、１２，２２，３２…取付ピン、１５，２５，３５…ブレード、１６，２６，３６…保持部、１６ａ，２６ａ，３６ａ…取付孔、１７，２７，３７…刃部、１７ａ，２７ａ，３７ａ…刃先、２８…塗装線、３８…切り欠き。
【図１】
2014082974.tif 000003
【図２】
2014082974.tif 000004
【図３】
2014082974.tif 000005
【図４】
2014082974.tif 000006
【図５】
2014082974.tif 000007
【図６】
2014082974.tif 000008
【図７】
2014082974.tif 000009